(57)【要約】【課題】振動板の振動振幅が小さくても大きな出力音圧が得られるようにする。【解決手段】入力端子１０からは再生しようとする音声信号が入力される。高周波信号源１２からは一定周波数で一定振幅の高周波信号が出力される。この高周波信号の周波数は可聴周波数よりも高く、再生しようとする音声信号の上限周波数の例えば１０〜１０００倍に設定する。振幅変調回路１４は高周波信号を音声信号で振幅変調する。振幅変調された高周波信号はアンプ１６で増幅されてスピーカ１８を駆動する。スピーカ１８は印加電圧に振動板の変位量が追従する形式のスピーカで、静電型スピーカ、圧電型スピーカ等で構成される。【選択図】図１
2009171042.tif 000002
【特許請求の範囲】
【請求項１】
印加電圧に振動板の変位量が追従する形式のスピーカを使用し、
該スピーカを音声信号で振幅変調した、可聴周波数よりも高い高周波信号で駆動することにより、
該スピーカを振幅変調していない同じ音声信号で駆動した場合に比べて、振動板の同じ振動振幅に対して該音声信号の出力音圧がより大きく得られるようにしたスピーカ駆動方法。
【請求項２】
前記振幅変調した高周波信号が正負両極性に振れる波形を有し、かつ該高周波の各周期ごとに正極性の波形の振幅と負極性の波形の振幅が等しく、もって該振幅変調した高周波信号の包絡線成分が、正極性の包絡線成分と負極性の包絡線成分とで該高周波信号の半周期分位相がずれている請求項１記載のスピーカ駆動方法。
【請求項３】
前記スピーカが静電型スピーカまたは圧電型スピーカである請求項１または２記載のスピーカ駆動方法。
【請求項４】
前記高周波信号の周波数が、再生しようとする音声信号の上限周波数の１０〜１０００倍、より好ましくは１００〜１０００倍である請求項１から３のいずれか１つに記載のスピーカ駆動方法。
【請求項５】
請求項１から４のいずれか１つに記載のスピーカ駆動方法を実行することを特徴とするスピーカ駆動装置。
【請求項６】
印加電圧に振動板の変位量が追従する形式のスピーカを駆動する装置であって、
音声信号を入力する入力端子と、
高周波信号を前記音声信号で振幅変調した信号を出力する振幅変調回路とを具備し、
前記スピーカを前記音声信号で振幅変調した高周波信号で駆動することにより、該スピーカを振幅変調していない同じ音声信号で駆動した場合に比べて、振動板の同じ振動振幅に対して該音声信号の出力音圧がより大きく得られるようにしたスピーカ駆動装置。
【請求項７】
前記振幅変調した高周波信号が正負両極性に振れる波形を有し、かつ該高周波の各周期ごとに正極性の波形の振幅と負極性の波形の振幅が等しく、もって該振幅変調した高周波信号の包絡線成分が、正極性の包絡線成分と負極性の包絡線成分とで該高周波信号の半周期分位相がずれている請求項６記載のスピーカ駆動装置。
【発明の詳細な説明】
【技術分野】
【０００１】
この発明は静電型スピーカ、圧電型スピーカ等印加電圧に振動板の変位量が追従する形式のスピーカの駆動方法および駆動装置に関し、発声しようとする音声信号で直接スピーカを駆動する従来の駆動方法に比べて、振動板の同じ振動振幅に対して該音声信号の出力音圧がより大きく得られるようにしたものである。
【背景技術】
【０００２】
従来のスピーカの駆動方法は発声しようとする音声信号で直接スピーカを駆動するものであった。この駆動方法によればスピーカから発する音の大きさ（音圧）は振動板が動かす空気の体積によって決まる。すなわち大きな音を出すためには振動板が動かす空気の体積を大きくする必要がある。ここで振動板によって動かす空気の体積は振動板の面積と振動振幅の掛け算で与えられるので、大きな音を出すためには振動板の面積を大きくするか振動振幅を大きくする必要がある。ただし振動振幅を大きくすることは難しいため、結果として面積の大きな振動板（すなわち口径が大きいスピーカ）が必要であった。
【０００３】
【特許文献１】特許第３０００９８２号公報
【発明の開示】
【発明が解決しようとする課題】
【０００４】
この発明は上述の点に鑑みてなされたもので、発声しようとする音声信号で直接スピーカを駆動する従来の駆動方法に比べて、振動板の同じ振動振幅に対して該音声信号の出力音圧がより大きく得られるようにしたスピーカの駆動方法および駆動装置を提供しようとするものである。
【課題を解決するための手段】
【０００５】
この発明のスピーカ駆動方法は印加電圧に振動板の変位量が追従する形式のスピーカを使用し、該スピーカを音声信号で振幅変調した、可聴周波数よりも高い高周波信号で駆動することにより、該スピーカを振幅変調していない同じ音声信号で駆動した場合に比べて、振動板の同じ振動振幅に対して該音声信号の出力音圧がより大きく得られるようにしたものである。
【０００６】
この発明によれば、スピーカを音声信号で振幅変調した、可聴周波数よりも高い高周波信号で駆動することにより、後述するように、発声しようとする音声信号で直接スピーカを駆動した場合に比べて、振動板の同じ振動振幅に対してより大きな音を発生させることができる。しかもスピーカを駆動する高周波信号は可聴周波数よりも高い周波数の信号であるので人の耳には音声信号の音しか聞こえない。
【０００７】
なおダイナミック型スピーカの場合は高周波信号を印加してもその電圧波形どおりに振動しないので、この発明による効果は期待できない。したがってこの発明は印加電圧に振動板の変位量が追従する静電型、圧電型等のスピーカについて好適に適用することができる。また超音波を音声信号で振幅変調して放射するスピーカとしてパラメトリックアレイスピーカが従来より知られているが（例えば上記特許文献１記載のもの）、これはパラメトリックアレイの原理を利用して超指向性を得るスピーカであり、この発明によるものとは異なる。
【０００８】
この発明において前記高周波信号の周波数は、再生しようとする音声信号の上限周波数の１０〜１０００倍、より好ましくは１００〜１０００倍が望ましい。
【０００９】
この発明のスピーカ駆動装置はこの発明のスピーカ駆動方法を実行することを特徴とするものである。このスピーカ駆動装置は例えば、音声信号を入力する入力端子と、高周波信号を前記音声信号で振幅変調した信号を出力する振幅変調回路とを具備して構成することができる。またこのスピーカ駆動装置は既に音声信号で振幅変調済みの高周波信号を受信してスピーカを駆動する装置として構成することもできる。
【００１０】
この発明において前記振幅変調した高周波信号は例えば正負両極性に振れる波形を有し、かつ該高周波の各周期ごとに正極性の波形の振幅と負極性の波形の振幅が等しく、もって該振幅変調した高周波信号の包絡線成分が、正極性の包絡線成分と負極性の包絡線成分とで該高周波信号の半周期分位相がずれているものとすることができる。
【発明を実施するための最良の形態】
【００１１】
この発明のスピーカ駆動装置の実施の形態を図１に示す。ここではアナログ信号処理によるシステムを示すがディジタル信号処理によるシステムとして構成することもできる。入力端子１０からは再生しようとする音声信号が入力される。高周波信号源１２からは一定周波数で一定振幅の高周波信号が出力される。この高周波信号の周波数は再生しようとする音声信号の上限周波数の例えば１０〜１０００倍、より好ましくは１００〜１０００倍に設定することができる。例えば再生しようとする音声信号の上限周波数が２０ｋＨｚであれば、高周波信号の周波数は２００ｋＨｚ〜２０ＭＨｚ、より好ましくは２ＭＨｚ〜２０ＭＨｚに設定することができる。振幅変調回路１４は高周波信号を音声信号で振幅変調する。振幅変調された高周波信号はアンプ１６で増幅されて１個のスピーカ（スピーカユニット）１８を駆動する。スピーカ１８は印加電圧に振動板の変位量が追従する形式のスピーカで、静電型スピーカ、圧電型スピーカ等で構成される。
【００１２】
図１のスピーカ駆動装置の動作波形を図２に示す。これは高周波の各周期ごとに正極性の波形の振幅と負極性の波形の振幅が等しくなるように変調された高周波信号で駆動するようにしたものである。（ａ）は音声信号、（ｂ）は変調前の高周波信号（正弦波）である。振幅変調回路１４は高周波信号を音声信号で振幅変調して（ｃ）に示す振幅変調された高周波信号を出力する。この振幅変調された高周波信号は正負両極性に振れる波形を有し、かつ該高周波の各周期ごとに正極性の波形の振幅と負極性の波形の振幅が等しいものである。つまり（ｃ）において、波形(1)，(3)，(5)，・・・，(21)，(23)，・・・は音声信号によって振幅変調された、該音声信号と同極性の高周波信号の半周期分の波形、波形(2)，(4)，(6)，・・・，(22)，(24)，・・・は直前の高周波信号の半周期分の波形と振幅が同じ（波形(1)の振幅＝波形(2)の振幅、波形(3)の振幅＝波形(4)の振幅、・・・、波形(23)の振幅＝波形(24)の振幅，・・・）で極性が反対の波形である。波形Ａは高周波波形(1)，(3)，(5)，・・・，(21)，(23)，・・・の包絡線成分、波形Ｂは高周波波形(2)，(4)，(6)，・・・，(22)，(24)，・・・の包絡線成分である。包絡線成分Ａと包絡線成分Ｂとは高周波信号の半周期分（高周波信号の角振動数をω0とするとπ／ω0）だけ相互に位相がずれている。したがって包絡線成分Ａ、Ｂは完全にはキャンセルされず、音声信号成分が出てくる。そしてこの振幅変調された高周波信号でスピーカ１８を駆動すると、高周波成分は可聴周波数よりもはるかに高いので人の耳には聞こえず、その包絡線成分である音声信号成分のみが聞こえる。
【００１３】
ここで図２（ｃ）の振幅変調された高周波信号でスピーカ１８を駆動する場合の音声信号成分の音圧を求める。単純化のため単音の場合について説明する。いま音声信号の角振動数をω、高周波信号の角振動数をω0（ω0>>ω）とする。このときスピーカ１８の振動板の、面に垂直な方向の原点からの変位ｙ(t)が時間に応じて次式となるように駆動する。
【数１】
2009171042.tif 000003
（但し、Δは高周波信号による駆動周期（＝２π／ω0）、Ａは振動板の振動振幅）
つまり高周波信号の１周期（２π／ω0）内では変位ｙ(t)が正方向と負方向で等しくなるように駆動する。振動板の変位ｙ(t)によって生じる音圧ｐ(t)は、ｙ(t)の時間に関する二回微分に比例するので、
【数２】
2009171042.tif 000004
（但し、Ｂは比例定数）
と表される。このｐ(t)に含まれるω成分が音声信号成分による音圧の振幅である。なおこの式は正確にはデルタ関数の項が存在するが、このデルタ関数の項による成分は高周波であり音圧には変換されないのでここではこのデルタ関数を無視している。
【００１４】
それではｐ(t)に含まれるω成分（音声信号成分による音圧の振幅）がどのような大きさになるかを次に求める。いま積分範囲をＬとするとｐ(t)のsinωt成分ｐs(ω)は、
【数３】
2009171042.tif 000005
【００１５】
次にｐ(t)のcosωt成分ｐc(ω)は、
【数４】
2009171042.tif 000006
【００１６】
以上をまとめると、
【数５】
2009171042.tif 000007
【００１７】
次に「数５」のＧs(ωΔ)、Ｇc(ωΔ)を求める。
【数６】
2009171042.tif 000008
【００１８】
よって「数５」のｐs(ω)、ｐc(ω)は、
【数７】
2009171042.tif 000009
【００１９】
次に「数５」のＦs(ω)、Ｆc(ω)を求める。
【数８】
2009171042.tif 000010
【００２０】
ここで積分公式
【数９】
2009171042.tif 000011
を利用すると、
【数１０】
2009171042.tif 000012
【００２１】
また、
【数１１】
2009171042.tif 000013
【００２２】
よって「数７」のｐs(ω)、ｐc(ω)は、「数１１」、「数１０」で求められたＦc(ω)、Ｆs(ω)をそれぞれ用いて、
【数１２】
2009171042.tif 000014
【００２３】
以上によりｐ(t)のsinωt成分ｐs(ω)とcosωt成分ｐc(ω)が求められた。これによれば図２（ｃ）の振幅変調された高周波信号でスピーカ１８を駆動する場合の音声信号成分による音圧の振幅はＡＢω0ωとなる。音声信号で直接駆動する従来の駆動方法による音圧の振幅はＡＢω2であるので、振動板の振動振幅Ａが同じである場合、図２（ｃ）の振幅変調された高周波信号で駆動する方が音声信号で直接駆動する方法に比べてＡＢω0ω／ＡＢω2＝ω0／ω倍大きな音圧が得られることになる。逆に言えば、同じ音圧を出すために必要な振動板の振動振幅はω／ω0倍ですむことになる。したがって図２（ｃ）の振幅変調された高周波信号でスピーカ１８を駆動する方法によれば、高周波信号の角振動数ω0を大きくすることにより、スピーカ１８の振動板の振動振幅Ａが小さいままで大きな音圧を得ることができる。したがって音声信号で直接駆動する従来の駆動方法と同じ音圧を得る場合には、該従来の駆動方法に比べて振動板面積を小さくしてスピーカを小型にすることが可能になる。また音声信号で直接駆動する方法では音圧は周波数の二乗に比例するのに対し、図２（ｃ）の振幅変調された高周波信号でスピーカ１８を駆動する方法では音圧は周波数の一乗に比例するので低音でより大きな音圧が得られることになる。
【図面の簡単な説明】
【００２４】
【図１】この発明のスピーカ駆動装置の実施の形態を示すブロック図である。
【図２】図１のスピーカ駆動装置の動作波形図で、高周波の各周期ごとに正極性の波形の振幅と負極性の波形の振幅が等しくなるように変調された高周波信号で駆動するようにした場合のものである。
【符号の説明】
【００２５】
１０…音声信号入力端子、１２…高周波信号源、１４…振幅変調回路、１８…静電型スピーカ、圧電型スピーカ等の印加電圧に振動板の変位量が追従する形式のスピーカ
【図１】
2009171042.tif 000015
【図２】
2009171042.tif 000016